(57)【特許請求の範囲】
【請求項１】
縦向きのポール片（２２）と横向きのヨーク片（２１）を並べると共にその並べ方を変えて前後に重ね合わせ且つポール片とヨーク片の端部同士が積層により一体化されて上下に対向するヨーク（１１，１１）間にポール（１３）を左右に並列した鉄心（１０）が形成され、その鉄心の上下ヨーク（１１）を前後から挟持プレート（１２）でそれぞれ挟み、各ポール（１３）をコイル（１４）で取り囲み、隣り合うコイル（１４，１４）間に隙間（Ｓ）を有する変圧器の鉄心コイル構成体の解体方法において、
上側のヨーク（１１）を挟んだ前後の挟持プレート（１２）を外した後に、下側のヨーク（１１）を保持しながら、隣り合うコイルの隙間（Ｓ）から上側のヨーク（１１）の厚み幅全域に対して上向きの力を加えることにより、上側のヨーク（１１）を分離することを特徴とする変圧器の鉄心コイル構成体の解体方法。
【請求項２】
縦向きのポール片（２２）と横向きのヨーク片（２１）を並べると共にその並べ方を変えて前後に重ね合わせ且つポール片とヨーク片の端部同士が積層により一体化されて上下に対向するヨーク（１１，１１）間にポール（１３）を左右に並列した鉄心（１０）が形成され、その鉄心の上下ヨーク（１１）を前後から挟持プレート（１２）でそれぞれ挟み、各ポール（１３）をコイル（１４）で取り囲み、隣り合うコイル（１４，１４）間に隙間（Ｓ）を有する変圧器の鉄心コイル構成体の解体方法において、
上側のヨーク（１１）を挟んだ前後の挟持プレート（１２）を外した後に、下側のヨーク（１１）を保持しながら、隣り合うコイルの隙間（Ｓ）から上側のヨーク（１１）の厚み幅の一部に対して上向きの力を加えることにより、ヨーク片（２１）を分離することを特徴とする変圧器の鉄心コイル構成体の解体方法。
【請求項３】
縦向きのポール片（２２）と横向きのヨーク片（２１）を並べると共にその並べ方を変えて前後に重ね合わせ且つポール片とヨーク片の端部同士が積層により一体化されて上下に対向するヨーク（１１，１１）間にポール（１３）を左右に並列した鉄心（１０）が形成され、その鉄心の上下ヨーク（１１）を前後から挟持プレート（１２）でそれぞれ挟み、各ポール（１３）をコイル（１４）で取り囲み、隣り合うコイル（１４，１４）間に隙間（Ｓ）を有する変圧器の鉄心コイル構成体の解体方法において、
左側のコイル（１４）に対しては左側に、右側のコイル（１４）には右側に力をそれぞれ加えることにより、コイル（１４）に囲まれたポール（１３）を分離することを特徴とする変圧器の鉄心コイル構成体の解体方法。
【請求項４】
請求項１、２又は３記載の変圧器の鉄心コイル構成体の解体方法において、分離する前に、鉄心（１０）の隅角部分の端面を捲ることを特徴とする変圧器の鉄心コイル構成体の解体方法。
【請求項５】
縦向きのポール片（２２）と横向きのヨーク片（２１）を並べると共にその並べ方を変えて前後に重ね合わせ且つポール片とヨーク片の端部同士が積層により一体化されて上下に対向するヨーク（１１，１１）間にポール（１３）を左右に並列した鉄心（１０）が形成され、その鉄心の上下ヨーク（１１）を前後から挟持プレート（１２）でそれぞれ挟み、各ポール（１３）をコイル（１４）で取り囲み、隣り合うコイル（１４，１４）間に隙間（Ｓ）を有する変圧器の鉄心コイル構成体の解体装置において、
左右に往復動する引抜手段（５６）をフレーム（２４）の左右に有し、コイル（１４）を掴む開閉可能なクランプ（５７）を各引抜手段（５６）の内側先部に備えることを特徴とする変圧器の鉄心コイル構成体の解体装置。
【請求項６】
縦向きのポール片（２２）と横向きのヨーク片（２１）を並べると共にその並べ方を変えて前後に重ね合わせ且つポール片とヨーク片の端部同士が積層により一体化されて上下に対向するヨーク（１１，１１）間にポール（１３）を左右に並列した鉄心（１０）が形成され、その鉄心の上下ヨーク（１１）を前後から挟持プレート（１２）でそれぞれ挟み、各ポール（１３）をコイル（１４）で取り囲み、隣り合うコイル（１４，１４）間に隙間（Ｓ）を有する変圧器の鉄心コイル構成体の解体装置において、
鉄心コイル構成体（５）を載せる台座（２５）をフレーム（２４）の下側に有すると共に、台座（２５）に備えた拘束手段（２９）が下側ヨーク（１１）を上方に移動不能に拘束し、フレーム（２４）の上側には鉄心コイル構成体（５）の上方に支持ビーム（２７）を有し、支持ビーム（２７）には上下に往復動する引抜手段（２８）を有し、隣り合うコイルの隙間（Ｓ）から上側ヨーク（１１）の厚み幅全域に引っ掛ける引掛具（３４）を引抜手段（２８）の先部に有することを特徴とする変圧器の鉄心コイル構成体の解体装置。
【請求項７】
請求項６記載の変圧器の鉄心コイル構成体の解体装置において、
隣り合うコイルの隙間（Ｓ）から上側ヨーク（１１）の厚み幅全域に引っ掛ける引掛具（３４）の代わりに、隣り合うコイルの隙間（Ｓ）から上側ヨーク（１１）の厚み幅の一部に引っ掛ける掻出具（４１）を用いることを特徴とする変圧器の鉄心コイル構成体の解体装置。
【請求項８】
鉄心（１０）の隅角部分の端面を捲る捲りギヤ（３９）を、フレーム（２４）の左右に回転可能に備えていることを特徴とする請求項５、６又は７記載の変圧器の鉄心コイル構成体の解体装置。
【発明の詳細な説明】
【０００１】
【発明の属する技術分野】
本発明は、使用済不燃性変圧器からＰＣＢ（絶縁油）を抜き取り、ケース内から抜き出した鉄心コイル構成体を解体する方法とそれに使用する装置に関する。
【０００２】
【従来の技術】
使用済不燃性変圧器は、ケース内に鉄心コイル構成体をＰＣＢに浸漬した状態となっているため、ＰＣＢをケースから抜き取ってケース内を洗浄した後であっても、鉄心コイル構成体にはＰＣＢが付着している。鉄心コイル構成体は、主に鉄心とコイルから構成されている。鉄心はヨーク片とポール片を並べ合わせた積層鋼板を用いており、鋼板の間に染みこんだＰＣＢが積層構造のままでは除去しずらく、ヨーク片とポール片に分離してから洗浄することが望まれる。また、コイルの紙にはＰＣＢが含浸しているので、通常の洗浄作業ではＰＣＢが除去できず、現時点では真空加熱炉内に投入して、真空加熱炉に接続した吸引機でＰＣＢを吸い取る方法でしか、ＰＣＢを除去できない。このようにＰＣＢを除去する手法が異なり、しかも、真空加熱炉はできるだけ小さい方が設備費用等の面から望ましいことから、鉄心コイル構成体を鉄心とコイルに分離して、別々に取り扱えるようにすることが望ましい。
【０００３】
鉄心コイル構成体を鉄心とコイルに分離するためには、鉄心のヨークを外して、鉄心のポールの先端からコイルを引き抜けるようにする必要がある。そのために洗浄済みの鉄心コイル構成体のヨークをガス等で切断すると、熱によってＰＣＢが酸化してダイオキシンになることから、押し切りでヨークを切断する方法が従来は採用されている。
【０００４】
ところが押し切りでは、大きなプレス荷重を必要とするので、刃物の寿命が短くなるし、しかも、設備費やランニングコストの面でも高価になるとの欠点があった。また、鉄心は、前述したようにヨーク片とポール片を並べ合わせた積層鋼板を用いているので、押し切りすると、元の大きさよりもヨーク片及びポール片が細かくばらばらになって、その後にＰＣＢを除去するための取り扱いが面倒になる。
【０００５】
【発明が解決しようとする課題】
本発明は上記実情を考慮して開発されたもので、その目的は、ヨークを外す際の荷重を小さくし、しかも、後工程でのＰＣＢの除去作業を容易にするためにヨーク片及びポール片の元の形状を保持することである。
【０００６】
【課題を解決するための手段】
本発明に使用する変圧器の鉄心コイル構成体は、縦向きのポール片と横向きのヨーク片を並べると共にその並べ方を変えて前後に重ね合わせ且つポール片とヨーク片の端部同士が積層により一体化されて上下に対向するヨーク間にポールを左右に並列した鉄心が形成され、その鉄心の上下ヨークを前後から挟持プレートでそれぞれ挟み、各ポールをコイルで取り囲み、隣り合うコイル間に隙間を有するものである。
【０００７】
さらに、鉄心の積層構造は、発明の実施の形態で詳述するが、ポール片とヨーク片が９０°で突き合わさる９０°接合タイプと、４５°で突き合わさる４５°接合タイプと、ヨーク片の縦幅が異なる異幅タイプの三種類がある。
【０００８】
請求項１から４の発明は、変圧器の鉄心コイル構成体の解体方法に関し、請求項５から８の発明は変圧器の鉄心コイル構成体の解体装置に関する。
【０００９】
請求項１の発明は、上側のヨークを挟んだ前後の挟持プレートを外した後に、下側のヨークを保持しながら、隣り合うコイルの隙間から上側のヨークの厚み幅全域に対して上向きの力を加えることにより、上側のヨークを分離することを特徴とする。なお、下側のヨークを保持する際には、下側のヨークを挟んだ挟持プレートは、付けたままでも良いし、外してあっても良い。
【００１０】
下側のヨークの保持の仕方は色々あり、下側ヨークを直に保持する仕方と、下側ヨークを間接的に保持する仕方に大別される。例えば、隣り合うコイルの隙間を利用して下側のヨークを直接抱え込む仕方や、他の構成部品たとえば挟持プレートを保持することによって下側ヨークを間接的に保持する仕方等である。ここでの上下方向とは、鉄心コイル構成体を地上に対して垂直に起立した方向に限らず、鉄心コイル構成体を水平に寝かした方向をも含む概念である。
【００１１】
上側ヨークを挟む前後の挟持プレートを外すのは、挟持力を解除してヨークを引き抜きやすくするためである。また、ヨークを分離すれば、残った鉄心コイル構成体はポールにコイルが付いた状態となっているが、そのままヨークが外れたポールの延長方向に沿ってコイルを引き抜くだけで、コイルを分離できる。
【００１２】
また、上述した請求項１の発明は全タイプの鉄心に使用できるが、４５°接合タイプと異幅タイプの鉄心に使用すれば、上向きの力が各ヨーク片の左右に殆ど均等にかかるので、全てのヨーク片がまとまったヨークとして一挙に分離することができる。但し、９０°接合タイプの鉄心に使用した場合は、力が各ヨーク片の左側又は右側に偏ってかかり、ヨーク片の片側は外れたにも関わらず反対側はポールに挟まれた形態となることもあり、この場合は分離する際に別途、引き抜き力を加える必要がある。
【００１３】
請求項２の発明も、全タイプの鉄心に使用できるが、４５°接合タイプと異幅タイプの鉄心に使用することが適当なもので、上側のヨークを挟んだ前後の挟持プレートを外した後に、下側のヨークを保持しながら、隣り合うコイルの隙間から上側のヨークの厚み幅の一部に対して上向きの力を加えることにより、ヨーク片を分離することを特徴とする。
【００１４】
請求項３の発明は、全タイプの鉄心に使用することが適当なもので、左側のコイルに対しては左側に、右側のコイルには右側に力をそれぞれ加えることにより、コイルに囲まれたポールを分離することを特徴とする。
【００１５】
ポール片とヨーク片との積層による一体化が強固な場合には、請求項１から３の発明の方法では、ポールやヨークを分離しにくい場合があり、このような場合には、一体化を弱くするために、請求項４の発明のように、分離する前に鉄心の隅角部分の端面を捲ることが望ましい。
【００１６】
請求項５の発明は、全タイプの鉄心に使用するもので、左右に往復動する引抜手段をフレームの左右に有し、コイルを掴む開閉可能なクランプを各引抜手段の内側先部に備えることを特徴とする。
【００１７】
請求項６の発明は、４５°接合タイプと異幅タイプの鉄心に使用することが適当なもので、鉄心コイル構成体を載せる台座をフレームの下側に有すると共に、台座に備えた拘束手段が下側ヨークを上方に移動不能に拘束し、フレームの上側には鉄心コイル構成体の上方に支持ビームを有し、支持ビームには上下に往復動する引抜手段を有し、隣り合うコイルの隙間から上側ヨークの厚み幅全域に引っ掛ける引掛具を引抜手段の先部に有することを特徴とする。なお、上側ヨークに引っ掛けた引掛具を引抜手段によって上昇させて上側ヨークを引き抜く前には、上側ヨークを挟む前後の挟持プレートをあらかじめ外しておく。
【００１８】
台座の形状は特に限定されず、一例としてはビーム状や、板状が挙げられる。拘束手段は色々な構造があるが、例えば、複数枚のプレートをピン接合によって一体化してビーム状の台座ごと下側ヨークを抱え込むものや、板状の台座から挟持プレートの横にボルトを突出させ、ボルトに通した止め板をナットによって下方に押し込み、止め板の端部で挟持プレートを台座に押し付けるもの等が挙げられる。
【００１９】
請求項７の発明は、隣り合うコイルの隙間から上側ヨークの厚み幅全域に引っ掛ける引掛具の代わりに、隣り合うコイルの隙間から上側ヨークの厚み幅の一部に引っ掛ける掻出具を用いることを特徴とする。
【００２０】
請求項８の発明は、鉄心の隅角部分の端面を捲る捲りギヤを、フレームの左右に回転可能に備えていることを特徴とする。
【００２１】
【発明の実施の形態】
変圧器１は図１、図２に示すように、枠組みしたベッド２の上に有底筒状のケース３の底部外周を溶接し、ケース３内に溜めた絶縁油のＰＣＢ４に鉄心コイル構成体５を浸漬し、蓋６をケース３のフランジ７に溶接又はボルトナットで固定し、鉄心コイル構成体５を吊りボルト８で蓋６に位置決め固定し、ＰＣＢ４を冷却するクーラー９をケース３外に有している。
【００２２】
変圧器１から鉄心コイル構成体５を取り出す仕方の一例は、まず、ＰＣＢ４を抜き取り、洗浄液をケース３内に充填し、洗浄液を抜き取って、鉄心コイル構成体５のＰＣＢ濃度を下げ、その後、ボルト・ナットを外すか、蓋６とフランジ７の溶接部を切削切断するかして蓋６を外す。そして、蓋６付きの鉄心コイル構成体５を引き上げてケース３から取り出し、吊りボルト８を外して、鉄心コイル構成体５を得る。
【００２３】
鉄心コイル構成体５は図３から図６に示すように、積層鋼板からなる鉄心１０の上下に対向するヨーク１１を断面コ字状の挟持プレート１２で前後から挟みボルト・ナットで締め付け固定し、鉄心１０の左右に並列するポール１３を円筒状のコイル１４で取り囲み、隣り合うコイルの間に隙間Ｓを開けてある。ポール１３にはコイル１４の上下にブレスリング１５、コイル受け木１６を通し、上下の挟持プレート１２を連結ボルト１７で締め付けて両挟持プレート１２、１２間にコイル１４を位置決めしてある。また、鉄心１０を据付台１８の上に載せ、据付台１８と下側の挟持プレート１２を、連結プレート１９を介して固定してある。なお、符号２０はコイル押えボルトである。
【００２４】
鉄心１０は図７から図１１に示すように、積層鋼板であって全体としては上下に対向するヨーク１１，１１間にポール１３を左右に並列したものであり、ポール１３の本数に合わせて二相用（図１０、図１１）と三相用（図７から図９）がある。また、その積層構造は、横向きのヨーク片２１と縦向きのポール片２２を内側に角穴が開く形状に突き合わせて並べて「口」字状又は「日」字状のユニット板２３を形成し、各図の（イ）と（ロ）のように、ヨーク片２１とポール片２２の並べ方を変えたユニット板２３を前後に重ね合わせ、ヨーク片２１の端部が前後に重ねたポール片２２の端部で挟まれ、一方、ポール片２２の端部が前後のヨーク片２１の端部や中央縁部で挟まれる形態で接合した構造である。なお、ヨーク片２１及びポール片２２の前後面にワニスを塗って固めたものもある。
【００２５】
上述した鉄心の積層構造は、主に三つのタイプに分けられる。図７（イ）（ロ）及び図１０（イ）（ロ）に示すものは、ヨーク片２１とポール片２２が９０°で突き合わさる９０°接合タイプで、細長い長方形のヨーク片２１とポール片２２を三枚ずつ又は二枚ずつ用いてユニット板２３を形成する。また、図８（イ）（ロ）及び図１１（イ）（ロ）に示すものは、ポール片とヨーク片が４５°で突き合わさる４５°接合タイプで、二枚のヨーク片２１と、三枚又は二枚のポール片２２とからなり、各片の突き合わさる辺が４５°に傾斜したものを用いる。さらに、図９（イ）（ロ）に示すものは、異幅タイプで、ヨーク片２１とポール片２２が二枚ずつで、ヨーク片２１に縦幅の異なるものを用いる。
【００２６】
鉄心コイル構成体の解体装置の第一実施形態は図１２から図１５に示すように、フレーム２４の下部に台座としてのビーム２５を有し、台座用ビーム２５上に枕木を介して鉄心コイル構成体５を載せ、下側ヨーク１１を前後から挟むクランプ２６を、台座用ビーム２５の両側に対向して配置してある。また、フレーム２４の上部には支持ビーム２７を、台座用ビーム２５に対して平行に設け、支持ビーム２７に沿って上側ヨーク１１の引抜手段２８を移動可能に設けると共に、下側ヨーク１１を上方に移動不能に拘束する板状の拘束手段２９を、台座用ビーム２５に着脱可能に設け、台座用ビーム２５に沿って、鉄心１０の隅角部の端面を捲る捲り手段３０を移動可能に設けてある。なお、図１２と図１３では、捲り手段３０は左側にのみ設けてあり、右側には設けてないが、右側の捲り手段３０は便宜上省略してある。
【００２７】
クランプ２６には、シリンダを用い、ピストンロッドの先部に押え板を取り付けてある。
【００２８】
引抜手段２８は、支持ビーム２７に沿って移動するスライダー３１を有し、スライダー３１にシリンダ３２を垂下し、ピストンロッド３３の先部に、チェーンを介して板状の引掛具３４を吊り下げてある。
【００２９】
引掛具３４は、複数枚のプレートを一部重ね合わせた状態でピン接合して四角形に組み、全体としての横幅を、隣り合うコイルの隙間Ｓ以下にしたものである。また、下側のプレートの上辺は、上側ヨーク１１の断面形状に合わせることが望ましく、上側ヨークの断面形状が四角形の場合は水平に、断面形状が円形の場合は円弧状にする。このようにすれば、積層構造のヨーク１１には、隙間Ｓに面する下辺の厚み幅全域に、引掛具３４の下側プレートの上辺が当たることになり、各ヨーク片２１に塑性変形が生じない。仮に、引掛具３４の代わりにワイヤーや鎖を用いたとすると、ヨーク片２１が積層方向に塑性変形するおそれがあり、その場合、ポール片２２とヨーク片２１の接合力が増大し、ヨーク１１をポール１３から引き抜き難くなる。
【００３０】
拘束手段２９も、引掛具３４と同様に、複数枚のプレートを一部重ね合わせた状態でピン接合し、下側ヨーク１１をＨ形材の台座用ビーム２５ごと抱え込む形状に組んだものである。
【００３１】
捲り手段３０は、台座用ビーム２５に沿って移動するスライダー３５を有し、スライダー３５の上部にシリンダ３６を縦向きに固定し、ガイド３７に沿って昇降するピストンロッド３８の先部にプレートを介して捲りギヤ３９を、上下方向を中心軸にして回転可能に支持し、捲りギヤ３９をモータで回転させる。捲りギヤ３９で鉄心１０の上側隅角部端面を捲る場合は、ピストンロッド３８を上方に移動させて高さを合わせ、捲りギヤ３９を回転させつつ、ピストンロッド３８自身を上下方向を中心軸にして回転をさせて、捲りギヤ３９をピストンロッド３８を中心にして鉄心１０の積層方向に揺動する。
【００３２】
鉄心コイル構成体５を解体する場合は、まず、連結ボルト１７を外すか、ＰＣＢが酸化しない温度にまで切削速度を落として連結ボルト１７を上下のヨーク１１，１１間の範囲内で切断し、隣り合うコイル１４，１４の隙間Ｓを前後に開放する。なお、連結ボルト１７の位置は、図６では×印で表してあり、隣り合うコイル１４，１４の隙間Ｓの前後である。次に、コイル押えボルト２０、上下の挟持プレート１２、据付台１８、連結プレート１９を外してから、台座用ビーム２５上に鉄心コイル構成体５を立てて載せる。そして、クランプ２６で前後から下側ヨーク１１を締め付けて保持し、隣合うコイルの隙間Ｓから拘束手段２９と引掛具３４をそれぞれ差し込んで、下側ヨーク１１を拘束手段２９で拘束し、上側ヨーク１１に引掛具３４を引っ掛ける。続いて、引抜手段２８のピストンロッド３３を上昇させて上側ヨーク１１を外す。
【００３３】
鉄心コイル構成体の解体装置の第二実施形態は図１６に示すように、フレーム２４の底となる板状の台座２５に鉄心コイル構成体５を寝かせて載せ、フレーム２４の左右に起立する両コラム４０，４０に沿って捲りギヤ３９を昇降可能に設けたものである。
【００３４】
鉄心コイル構成体の解体装置の第三実施形態は図１７から図２０に示すように、引掛具３４の代わりに、上側ヨーク１１の下辺の厚み幅の一部に引っ掛ける板状の掻出具４１を用いたことを特徴とするもので、鉄心コイル構成体５の下側ヨーク１１の保持には第一実施形態と同様に拘束手段２９を用いる。
【００３５】
掻出具４１の取付構造は、フレーム２４の前後左右に引抜手段２８のシリンダ４２を起立し、四本のシリンダ４２から出入りするピストンロッド４３の先部に天板４４を水平に支持し、天板４４の真下に鉄心コイル構成体５を配置させる。天板底面の前後左右にナット４５を取り付け、左右（図中、奥行き方向）のナット４５，４５間にシャフト４６をねじ込んで架設し、シャフト４６の所定箇所に支え枠４７を垂下し、支え枠内に横向きの板状掻出具４１を前後にスライド可能に挿入し、掻出具の一部に噛み合うギヤ４８を回して、掻出具４１を前進後退させる。従って、シャフト４６をモータで回転させれば、シャフト４６ごと掻出具４１が左右に移動し、隣り合うコイルの隙間Ｓの前方又は後方に掻出具４１を合わせることができる。また、その状態で図１８に示すように、天板４４ごと掻出具４１を下降させ、図１９に示すように、掻出具４１を上側ヨーク１１に向かって前進させて、上側ヨークの下辺の一部に当て、さらに図２０に示すように、天板４４ごと掻出具４１を上昇させると、下側ヨーク１１を構成するヨーク片２１が何枚か外れる。
【００３６】
なお、第三実施形態では、鉄心コイル構成体５からヨーク片２１を前後両面から同時に掻き出して外す構造となっているが、片面のみから掻き出す構造であっても良い。また、台座２５に鉄心コイル構成体５を立てて載せ、掻出具４１を昇降させる構造となっているが、鉄心コイル構成体５を水平に寝かせて載せ、掻出具４１を水平に保ちながら往復動させる構造であっても良い。
【００３７】
鉄心コイル構成体の解体装置の第四実施形態は、上側ヨーク１１を外した鉄心コイル構成体５からコイル１４を引き抜くもので、図２１から図２４に示すように、フレーム２４の上枠にシリンダ４９を載せ、上側ヨークを外した鉄心コイル構成体５の上方でピストンロッド５０を昇降させ、ピストンロッド５０の先部に逆Ｕ字状の支持板５１を固定し、支持板５１の両先部に、水平に支持したクランプ５２をピニオン５３によって前進・後退可能に連結してある。なお、クランプは、ラックＲの先部に押さえ板を取り付けた構造である。図２１に示すように、ピストンロッド５０を上昇させた状態から図２２に示すようにクランプ５２がコイル１４の横に達するまでピストンロッド５０を下降させ、図２３に示すようにクランプ５２を内向きに前進させコイル１４を掴む。そして、図２４に示すようにピストンロッド５０を上昇させてコイル１４をポール１３から引き抜く。
【００３８】
第四実施形態での拘束手段２９は、鉄心コイル構成体５の構造を利用して第一実施形態とは異なる構造を用いている。即ち、鉄心コイル構成体５が下側のヨーク１１の前後に挟持プレート１２を付けた構造であることを利用して、板状の台座２５からボルトを上方に突出させ、ボルトに止め板Ｔを通し、ナットをねじ込んで止め板Ｔの端部で挟持プレート１２を台座２５に押し付けている。符号Ｐは、高さ調整用のスペーサである。
【００３９】
鉄心コイル構成体５の解体装置の第五実施形態は図２５から図３０に示すように、フレーム２４の左右のコラム５４，５４間に、上下が開口した保持ケース５５を回転可能に支持し、上方から吊り下げた鉄心コイル構成体５を下降させて、保持ケース５５の上方開放口から内部に移動させる。保持ケース５５内の左右には、左右に往復動する引抜手段５６を有し、引抜手段５６の内側先部に開閉可能なクランプ５７を有し、図２８に示すように両クランプ５７，５７で鉄心コイル構成体５の左右のコイル１４，１４を掴んで保持する。また、中間のコイル１４を前後から挟むクランプ５８を保持ケース５５の前後に有している。
【００４０】
引抜手段５６は、保持ケース５５の左右に突出する回転軸をシリンダ５９で形成し、シリンダ５９をコラム５４で軸支すると共に、ピストンロッド６０を保持ケース５５の内側で左右に往復動可能に設け、ピストンロッド６０の先部にクランプ５７を備えた構造である。
【００４１】
左右のクランプ５７は図２７に示すように、ピストンロッド５４の先部に開閉用シリンダ６１を有し、開閉用シリンダ６１の前後から一対のピストンロッド６２を前後に往復動可能に設け、ピストンロッド６２の先部に、コイルを掴む爪６３を内向きに突出したもので、爪６３の先部をく字状に屈曲してコイルを掴みやすくしてある。
【００４２】
また、中間用のクランプ５８は、シリンダを用い、ピストンロッドの先部に押え板を取り付けてある。
【００４３】
左右と中間のクランプで全てのコイルを掴んだ状態から、鉄心コイル構成体５の上下挟持プレート１２，１２及び据付台１８等を外して、鉄心１０とコイル１４のみの形態にし、図２８に示すように保持ケースを９０度回転させて鉄心コイル構成体５を寝かせた状態にし、図２９に示すように左側のクランプ５７を左側へ、右側のクランプ５７を右側へ引抜手段５６で移動させると、左右のポール１３がコイル１４ごと外れる。再度、保持ケース５５を９０度回転させて、左右のクランプ５７の把持力を弱め、フレーム２４の下に置いた籠の中に左右のポール１３をコイル１４ごと落とす。中間用の二つのクランプ５８，５８で残りの鉄心コイル構成体５を掴んでいるので、保持ケース５５を再び９０度回転させ、上下のヨーク１１の左右にループ６４をそれぞれ巻き、各ループ６４を上下に同時に引っ張ると、上下のヨーク１１が外れる。この後の手順は図面にしてないが、さらに、保持ケース５５を９０度回転させ、中間用クランプ５８，５８の把持力を弱めて、中間のポール１３をコイル１４ごと籠の中に落とす。
【００４４】
【発明の効果】
請求項１と３の発明は、鉄心がポール片とヨーク片の端部同士が積層により一体化された構造であることを巧みに利用し、その重ね合わせた面が滑るように上下方向又は左右方向にヨーク又はコイルを引っ張るものであるので、上側ヨーク又はコイル付きのポールを小さな荷重で分離でき、しかも、ヨーク片及びポール片が元の形状を保持することになり、その結果、分離したヨークや、コイル付きのポールを、さらにヨーク片、ポール片、コイルに分離することも容易となる。また、請求項１の発明は、コイル間に隙間があることをも巧みに利用して上側のヨークに上向きの力を加えている。
【００４５】
請求項２の発明は、上側ヨークの厚み幅の一部に対して力を加えるので、鉄心コイル構成体からヨーク片を小さな荷重で分離できる。
【００４６】
請求項４の発明は、鉄心の隅角部分の端面を捲れば、ポール片とヨーク片の積層による一体化が弱くなるので、ヨークとポールを分離しやすくなる。
【００４７】
請求項５の発明は、コイルを掴んだクランプを引抜手段によって移動させるので、コイル付きのポールを分離できる。
【００４８】
請求項６の発明は、拘束手段によって下側のヨークを拘束し、引掛具を上側のヨークの厚み幅全域に引っ掛けて引抜手段で引き抜くので、上側のヨークを分離することができる。
【００４９】
請求項７の発明は、掻出具によって上側のヨーク片を何枚か分離できる。
【００５０】
請求項８の発明は、捲りギヤによって鉄心の隅角部分の端面を捲れば、ポール片とヨーク片の積層による一体化が弱くなるので、ヨークとポールを分離しやすくなる。
【図面の簡単な説明】
【図１】正面側から見た変圧器の内部構造を示す縦断面図である。
【図２】側面から見た変圧器の内部構造を示す縦断面図である。
【図３】変圧器から取り出した鉄心コイル構成体の平面図である。
【図４】図３の正面図である。
【図５】図３の側面図である。
【図６】図４のＡ−Ａ線断面図である。
【図７】（イ）（ロ）三相用の鉄心の積層構造を示す正面図である。
【図８】（イ）（ロ）三相用の鉄心の積層構造の他の例を示す正面図である。
【図９】（イ）（ロ）三相用の鉄心の積層構造の他の例を示す正面図である。
【図１０】（イ）（ロ）二相用の鉄心の積層構造を示す正面図である。
【図１１】（イ）（ロ）二相用の鉄心の積層構造の他の例を示す正面図である。
【図１２】変圧器の鉄心コイル構成体の解体装置の第一実施形態を示す正面図である。
【図１３】第一実施形態で上側ヨークを外した状態を示す正面図である。
【図１４】引掛具を上側ヨークに引っ掛け、拘束手段で下側ヨークを拘束した状態を示す第一実施形態の断面図である。
【図１５】下側ヨークをクランプした状態を示す第一実施形態の要部断面図である。
【図１６】変圧器の鉄心コイル構成体の解体装置の第二実施形態を示す正面図である。
【図１７】変圧器の鉄心コイル構成体の解体装置の第三実施形態を示す正面図である。
【図１８】第三実施形態で、天板を下降した状態を示す正面図である。
【図１９】第三実施形態で、掻出具の先部を上側ヨークの一部に引っ掛けた状態を示す正面図である。
【図２０】第三実施形態で、掻出具の先部でヨーク片を掻き出した状態を示す正面図である。
【図２１】変圧器の鉄心コイル構成体の解体装置の第四実施形態を示す正面図である。
【図２２】第四実施形態で、クランプをコイルの横に下ろした状態を示す正面図である。
【図２３】第四実施形態で、コイルをクランプで掴んだ状態を示す正面図である。
【図２４】第四実施形態で、コイルを引き抜いた状態を示す正面図である。
【図２５】変圧器の鉄心コイル構成体の解体装置の第五実施形態を示す正面図である。
【図２６】第五実施形態の保持ケース内に鉄心コイル構成体を投入した状態を示す正面図である。
【図２７】第五実施形態でコイルを掴む直前の状態を示す平面図である。
【図２８】第五実施形態でコイルを引き抜く直前の状態を示す平面図である。
【図２９】第五実施形態で左右のコイルをポールごと引き抜いた状態を示す平面図である。
【図３０】第五実施形態でヨークを引き抜く直前の状態を示す正面図である。
【符号の説明】
５  鉄心コイル構成体
１０  鉄心
１１  ヨーク
１２  挟持プレート
１３  ポール
１４  コイル
Ｓ  隙間
２１  ヨーク片
２２  ポール片
２４  フレーム
２５  台座（台座用ビーム）
２７  支持ビーム
２８，５６  引抜手段
２９  拘束手段
３４  引掛具
３９  捲りギヤ
４１  掻出具
５７  クランプ
【図１】
0003610334.tif 000002
【図２】
0003610334.tif 000003
【図３】
0003610334.tif 000004
【図４】
0003610334.tif 000005
【図５】
0003610334.tif 000006
【図６】
0003610334.tif 000007
【図７】
0003610334.tif 000008
【図８】
0003610334.tif 000009
【図９】
0003610334.tif 000010
【図１０】
0003610334.tif 000011
【図１１】
0003610334.tif 000012
【図１２】
0003610334.tif 000013
【図１３】
0003610334.tif 000014
【図１４】
0003610334.tif 000015
【図１５】
0003610334.tif 000016
【図１６】
0003610334.tif 000017
【図１７】
0003610334.tif 000018
【図１８】
0003610334.tif 000019
【図１９】
0003610334.tif 000020
【図２０】
0003610334.tif 000021
【図２１】
0003610334.tif 000022
【図２２】
0003610334.tif 000023
【図２３】
0003610334.tif 000024
【図２４】
0003610334.tif 000025
【図２５】
0003610334.tif 000026
【図２６】
0003610334.tif 000027
【図２７】
0003610334.tif 000028
【図２８】
0003610334.tif 000029
【図２９】
0003610334.tif 000030
【図３０】
0003610334.tif 000031